(57)【要約】【課題】簡潔な構成で、計測表示部を取り囲む部分を光輝させる。【解決手段】計器装置１００は、計測表示部を取り囲む枠体２０と、枠体２０を照らす光源４１と、光源４１からの光を枠体２０へと通過させる光通過部が設けられた文字板６０と、を備える。枠体２０は、光源４１から光通過部を通過した光が入射する透光部と、透光部を表示側から覆い、透光部と密着する部分が鏡面部である遮光部と、から一体的に形成されている。遮光部には、枠体２０の形状に沿って形成され、透光部の一部を覗かせる開口部が設けられ、光源４１から透光部に入射した光は、鏡面部で反射して開口部へと導かれ、開口部から出射される。【選択図】図２
2015117999.tif 000002
【特許請求の範囲】
【請求項１】
計測量を表示する計測表示部と、
前記計測表示部の表示側から見て前記計測表示部を取り囲む枠体と、
前記表示側に光を出射することで前記枠体を照らす光源と、
前記枠体と前記光源との間に位置する板状部であって、前記光源からの光の光路上に、前記光源からの光を前記枠体へと通過させる光通過部が設けられた板状部と、を備え、
前記枠体は、前記光源から前記光通過部を通過した光が入射する透光部と、前記透光部を前記表示側から覆い、前記透光部と密着する部分が鏡面部である遮光部と、から一体的に形成され、
前記遮光部には、前記表示側から見て前記枠体の形状に沿って形成され、前記透光部の一部を覗かせる開口部が設けられ、
前記光源から前記透光部に入射した光は、前記鏡面部で反射して前記開口部へと導かれ、前記開口部から出射される、
ことを特徴とする計器装置。
【請求項２】
前記遮光部は、めっき、スパッタリング、又は、蒸着処理によって前記透光部と一体的に形成されている、
ことを特徴とする請求項１に記載の計器装置。
【請求項３】
前記遮光部は、シート状の部材であり、
前記透光部と前記遮光部とは、インモールド成型によって一体的に形成されている、
ことを特徴とする請求項１に記載の計器装置。
【請求項４】
前記光通過部と前記開口部とは、前記光源の光軸上に位置する、
ことを特徴とする請求項１乃至３のいずれか１項に記載の計器装置。
【請求項５】
前記板状部の前記光通過部は、前記光源が出射した光を拡散して前記透光部に向けて出射させる拡散層を含む、
ことを特徴とする請求項１乃至４のいずれか１項に記載の計器装置。
【請求項６】
前記板状部の前記光通過部は、複数の粒状の遮光部分からなるドットパターンを形成する印刷層を含み、
前記ドットパターンは、前記印刷層のうち前記光源の光軸上に位置する部分から、離れていくに従って、粒状の遮光部分が密から疎になるように形成されている、
ことを特徴とする請求項１乃至４のいずれか１項に記載の計器装置。
【請求項７】
前記透光部のうち、前記光源からの光が入射する部分には拡散部が形成され、
前記光源から前記透光部に入射した光は、前記拡散部で拡散された後、前記鏡面部で反射して前記開口部へと導かれ、前記開口部から出射される、
ことを特徴とする請求項１乃至６のいずれか１項に記載の計器装置。
【請求項８】
前記光源は、前記表示側から見た前記枠体の形状に沿って複数設けられており、
複数の前記光源の組合せによって、二以上の色調で前記枠体を照らす、
ことを特徴とする請求項１乃至７のいずれか１項に記載の計器装置。
【請求項９】
前記計測表示部は、回転する指針と前記指針に指示される指標部と対比により前記計測量を表示し、
前記枠体は、前記表示側から見て扇状に形成される前記指標部の外周側を取り囲むように形成されている、
ことを特徴とする請求項１乃至８のいずれか１項に記載の計器装置。
【発明の詳細な説明】
【技術分野】
【０００１】
本発明は、計器装置に関する。
【背景技術】
【０００２】
従来の計器装置として、例えば特許文献１に開示されるものがある。特許文献１に係る計器装置は、円筒状の導光体と、導光体の内周側に位置する遮光板と、導光体の外周側に位置する円筒状部と、を備え、光源からの光を遮光板と円筒状部に挟まれた導光体によって表示側に導くことで、計測量を表示する計測表示部を取り囲む部分を光輝させるものである（同文献の図４、図５など参照）。
【先行技術文献】
【特許文献】
【０００３】
【特許文献１】特開平９−２８７９８０号公報
【発明の概要】
【発明が解決しようとする課題】
【０００４】
特許文献１に係る計器装置では、互いに別部材の導光体と遮光板と円筒状部とが必要であるため、構成が複雑であった。
【０００５】
本発明は、上記実状に鑑みてなされたものであり、簡潔な構成で、計測表示部を取り囲む部分を光輝させることができる計器装置を提供することを目的とする。
【課題を解決するための手段】
【０００６】
上記目的を達成するため、本発明に係る計器装置は、
計測量を表示する計測表示部と、
前記計測表示部の表示側から見て前記計測表示部を取り囲む枠体と、
前記表示側に光を出射することで前記枠体を照らす光源と、
前記枠体と前記光源との間に位置する板状部であって、前記光源からの光の光路上に、前記光源からの光を前記枠体へと通過させる光通過部が設けられた板状部と、を備え、
前記枠体は、前記光源から前記光通過部を通過した光が入射する透光部と、前記透光部を前記表示側から覆い、前記透光部と密着する部分が鏡面部である遮光部と、から一体的に形成され、
前記遮光部には、前記表示側から見て前記枠体の形状に沿って形成され、前記透光部の一部を覗かせる開口部が設けられ、
前記光源から前記透光部に入射した光は、前記鏡面部で反射して前記開口部へと導かれ、前記開口部から出射される、
ことを特徴とする。
【発明の効果】
【０００７】
本発明によれば、簡潔な構成で、計測表示部を取り囲む部分を光輝させることができる。
【図面の簡単な説明】
【０００８】
【図１】本発明の一実施形態に係る計器装置の平面図である。
【図２】図１に示す計器装置のＡ−Ａ線概略断面図である。
【図３】図２に示す計器装置の一部の構成を示す斜視図である。
【図４】図２に示す計器装置のＢ部拡大図である。
【図５】枠体がどのようにして発光するかを説明するための図である。
【図６】変形例に係る枠体を説明するための図である。
【図７】（ａ）及び（ｂ）は、変形例に係る板状部を説明するための図である。
【図８】変形例に係る拡散層を説明するための図である。
【発明を実施するための形態】
【０００９】
本発明の一実施形態について図面を参照して説明する。
【００１０】
本発明の一実施形態に係る計器装置１００は、図１に示すように、指針１と指針１の指示対象である指標部２とを有する計測表示部１０と、計測表示部１０を取り囲み、計測表示部１０の領域とその他の領域３とを区画する枠体２０と、を備える。
また、計器装置１００は、図２に示すように、メイン基板３０と、サブ基板４０と、中ケース５０と、指標部２が形成された文字板６０と、裏ケース７０と、見返し部材８０と、透光性カバー９０と、を備える。
【００１１】
なお、以下では、計器装置１００が車両に搭載されるタコメータとして構成される例を説明する。計器装置１００は、無論、他の計測量を表示するものであってもよい（例えば、車両速度を表示するスピードメータ）。
また、以下では、計器装置１００の構成の理解を容易にするため、各部材に対してのユーザ（計器装置１００の計測量を視認する者）側を表側、その反対側を裏側として、適宜、説明する（図２参照）。
【００１２】
図２に示すメイン基板３０は、板状の基材に各種配線がプリントされたプリント回路板からなる。メイン基板３０には、計器装置１００の動作を制御する制御部（図示せず）や、指針１を回転駆動するステッピングモータ（図示せず）が実装されている。
ステッピングモータは、メイン基板３０の裏側に実装され、その回転軸の先端部がメイン基板３０の基材に設けられた孔部３１と、文字板６０に形成された孔部６１ａとを通って文字板６０の表側に到っている。この回転軸の先端部に、指針１が取り付けられており、指針１は、文字板６０の表側で回転可能となっている。制御部は、計器装置１００が搭載される車両のＥＣＵ（Electronic Control Unit）と電気的に接続され、ＥＣＵから車両に関する各種情報を取得する。例えば、制御部は、ＥＣＵからエンジン回転数を示す情報を取得して、エンジン回転数に対応した回転角でステッピングモータの回転軸を回転させる。これにより、指針１は、エンジン回転数に対応した回転角で回転する。
【００１３】
サブ基板４０は、メイン基板３０の表側に位置し、板状の基材に各種配線がプリントされたプリント回路板からなる。サブ基板４０の表側には光源４１が実装されている。サブ基板４０は、メイン基板３０とＦＰＣ（Flexible Printed Circuits）などを介して、電気的に接続されており、制御部の制御のもとで、発光動作を行う。
【００１４】
光源４１は、例えばＬＥＤ（Light Emitting Diode）からなり、表側に向けて光を出射する。光源４１は、複数ある。具体的には、光源４１は、図３に示すように、青色の光を出射する光源４１ｂと、緑色の光を出射する光源４１ｇと、を有する。光源４１ｂと光源４１ｇとは、計器装置１００の表裏方向において、枠体２０と対向する位置に配設されている。また、光源４１ｂと光源４１ｇとは、計器装置１００を表側から見た場合に、円環形状をなす枠体２０の形状に沿って配列されている。
例えば、前述の制御部は、ＥＣＵから燃料消費値を示す情報を取得し、この燃料消費値が予め定められた所定値よりも小さい場合は光源４１ｂを駆動して青色の光を出射させ、所定値以上の場合は、光源４１ｇを駆動して緑色の光を出射させる。後述するように、枠体２０は、光源４１（光源４１ｂ、４１ｇ）の光により照明されて発光するため、枠体２０も光源４１が出射した光の色に応じて発光する。これにより、計器装置１００のユーザは、枠体２０の発光色により、感覚的に、現在の車両の燃料消費状態を把握することができる。
なお、光源４１に専用のサブ基板４０を設けず、メイン基板３０に光源４１が実装されるようにしてもよい。また、図３では、図面の見易さを考慮して、後述の透光部２１を省略して描き、後述の光通過部６３を切り欠き状に描いている。
【００１５】
中ケース５０は、図２、図３に示すように、メイン基板３０の表側に位置し、所定の樹脂から例えば白色に形成されている。中ケース５０は、サブ基板４０と文字板６０との間に位置して光源４１が発した光を枠体２０に導くライトガイド５１と、ステッピングモータの回転軸を取り囲む回転軸収納部５２と、回転軸収納部５２とライトガイド５１との間に位置する反射室５３と、を有して形成されている。反射室５３は、メイン基板３０に実装された指標部２照明用の光源（図示せず）からの光を、反射させつつ、効率的に文字板６０の指標部２へと導く。指標部２は、このように反射室５３に導かれた光（図示しない光源からの光）により照明される。
ライトガイド５１は、図３に示すように、計測表示部１０の表示側（計器装置１００の表側）から見て、枠体２０の形状に概ね沿って設けられている。光源４１から発せられた光は、ライトガイド５１の内面で反射しつつ、効率的に枠体２０側へと導かれる。
【００１６】
文字板６０は、図２、図３に示すように、中ケース５０の表側に載置されている。文字板６０は、図４に示すように、ポリカーボネート樹脂などからなる透光性の板材６１と、板材６１の表面及び裏面に形成された遮光性印刷層６２と、を有する。板材６１には、前述したステッピングモータ（図示せず）の回転軸を文字板６０の表側に通す孔部６１ａが形成されている。遮光性印刷層６２の一部は、抜き文字状になっており、この抜き文字状部分により指標部２が表現されている。つまり、指標部２は、文字板６０の遮光性印刷層６２が形成されていない部分により表現されており、透光性を有する。指標部２は、図１に示すように、数値、目盛などからなり、指針１の回転中心を中心として略円弧状に形成されている。
【００１７】
また、文字板６０のうち、表側から見て（計測表示部１０の表示側から見て）、指標部２の外周側にも遮光性印刷層６２が形成されていない部分がある。この部分は、図４に示すように、表裏方向において光源４１と対向しており、光源４１の光軸ＡＸ上に位置する。これにより、文字板６０の光源４１と対向する部分は、光源４１から発せられた光を文字板６０の表側へと通過させる光通過部６３となっている。光通過部６３は、文字板６０の表側から見て、枠体２０に覆われており、且つ、枠体２０の形状に沿って、円状または円弧状に形成されている。なお、遮光性印刷層６２は、板材６１の表面と裏面との一方にのみ形成されていてもよい。
【００１８】
また、文字板６０の光通過部６３は、図４に示すように、表裏方向において光源４１と対向する拡散層６３ａを含む。この拡散層６３ａは、透光性の板材６１の裏面に形成された印刷層からなり、光源４１が出射した光を拡散させて文字板６０の表側へと出射させる。拡散層６３ａは、例えば、乳白色系印刷層や、細かい粒状の遮光部を多数形成することによるドット系印刷層などからなる。例えば、拡散層６３ａを乳白色系印刷層で構成すれば、計器装置１００の外部から光源４１や内部構造が見えてしまうのを隠すことができるので、計器装置１００の見栄えを良くすることができる。なお、拡散層６３ａは、透光性の板材６１の表側の面に形成されていてもよいし、表側の面と裏面との両方に形成されていてもよい。
【００１９】
文字板６０の表側には、図４などに示すように、光通過部６３を覆うようにして枠体２０が配設されている。枠体２０の詳細構造については後に述べる。
【００２０】
図２に戻って、裏ケース７０は、例えば、ＡＢＳ（Acrylonitrile Butadiene Styrene）、ＰＰ（PolyPropylene）などの樹脂から形成され、メイン基板３０、サブ基板４０、中ケース５０などを収納する。
【００２１】
見返し部材８０は、裏ケース７０に表側から取り付けられ、計器装置１００のうち視認される必要のない部分を覆い隠す。この実施形態では、図１及び図２に示すように、計器装置１００の表側から見て、枠体２０の外周側を覆い隠している。見返し部材８０は、例えば、ＡＢＳ、ＰＰなどの樹脂から形成されている。
【００２２】
透光性カバー９０は、例えば所定の樹脂により透光性を有して形成され、見返し部材８０を表側から覆うように設けられている。図２に示すように、透光性カバー９０と裏ケース７０とで、略箱状となり、計器装置１００の筐体を構成している。
【００２３】
（枠体について）
枠体２０は、図１に示すように、計器装置１００の表側から見て（計測表示部１０の表示側から見て）計測表示部１０を取り囲む円環状に形成されている。枠体２０は、図２、図３などに示すように、文字板６０の表側に設けられている。枠体２０は、例えば、文字板６０を介して、中ケース５０に適宜の嵌合手段により固定されている。
枠体２０は、図４に示すように、透光部２１と、遮光部２２とから一体的に形成されている。
【００２４】
透光部２１は、ＡＢＳ、ポリカーボネートなどの樹脂から透光性を有して形成される導光部材である。透光部２１は、図４に示すように、断面形状が計器装置１００の表側に向かって先細りするように突出している。この実施形態では、透光部２１は、断面形状が光源４１の光軸ＡＸに対して略対称に形成されている。また、透光部２１は、計器装置１００の表側から見て、円環状に形成されている。
【００２５】
図４に示す透光部２１の裏面２１ａ（光源４１側に向く面）の一部は、光源４１から光通過部６３を通過した光が入射する入射面として機能する。
【００２６】
遮光部２２は、めっき、スパッタリングなどの塗装処理、又は、蒸着処理により、透光部２１の裏面２１ａ以外の面を覆うように成膜されている（ただし、後述する開口部２２ａを除く）。これにより、透光部２１と遮光部２２とは一体的になっている（両者は、計器装置１００の組み付け時に互いに分離可能な部材ではない）。なお、遮光部２２が少なくとも一方の面が鏡面となっているシート状の部材であり、透光部２１と遮光部２２とをインモールド成型（いわゆるシートインモールド成型）によって一体的に形成するようにしてもよい。
【００２７】
遮光部２２には、光源４１から透光部２１に入射した光を表側に向けて出射させる出射口として機能する開口部２２ａが設けられている。開口部２２ａは、図１に示すように、枠体２０の形状に沿って円環状に形成されている。また、開口部２２ａは、図４に示すように、透光部２１の表側の端部である先端部２１ｂ上に位置する。開口部２２ａは、めっき、スパッタリングなどの塗装処理前にマスキングを施すことにより形成される、又は、蒸着処理後にレーザー照射により照射箇所の蒸着層を剥離させることにより形成される。このように形成された開口部２２ａにより、計器装置１００の表側から見て、円環状に透光部２１が露出する。
【００２８】
遮光部２２の内面２２０（透光部２１側に向く面）は、鏡面となっており、透光部２１に入射した光源４１からの光を効率良く反射させる。前述のように透光部２１と遮光部２２とは一体的に形成されていることから、内面２２０は、透光部２１と密着している。
同様に、遮光部２２の外面２２１も鏡面となっているが、この外面２２１上には、図示しない反射抑制膜が形成されている。この反射抑制膜は、例えば、乳白色系の印刷層（例えば、光拡散作用がある印刷層）からなり、遮光部２２で外光がユーザ側に向かって反射することを抑制する。これにより、ユーザが眩しく感じることを低減できる。
【００２９】
遮光部２２は、図４に示すように、文字板６０の板材６１が延びる方向と略直交する壁部２２ｂと、壁部２２ｂから光軸ＡＸに漸近的に近づくように傾斜する傾斜部２２ｃと、
傾斜部２２ｃから開口部２２ａまでの部分であり、透光部２１の先端部２１ｂの表側を覆う頭頂部２２ｄと、を有している。無論、透光部２１は、遮光部２２がこのような形状となるような形状で形成されている。図４に示すように、枠体２０を断面で見れば、壁部２２ｂと傾斜部２２ｃと頭頂部２２ｄの各々は、光軸ＡＸを挟んで一対ある。
【００３０】
開口部２２ａは、図４に示すように、光源４１の光軸ＡＸ上に位置する。同様に、前述した光通過部６３も光軸ＡＸ上に位置する。
ここで、開口部２２ａの幅ｄ１と、光通過部６３の幅ｄ２と、透光部２１の裏面２１ａの幅ｄ３とは、図４に示すように、ｄ３＞ｄ２＞ｄ１という関係を満たす。これら各々の幅は、枠体２０が沿う方向と直交する方向で計器装置１００を切った場合の断面において、光源４１の光軸ＡＸを中心とした幅である。各幅をこのようにした利点は後に述べる。
【００３１】
次に、計器装置１００において、枠体２０がどのように発光するかを、図５を参照して説明する。
【００３２】
光源４１が発した光は、中ケース５０のライトガイド５１内で反射しつつ、文字板６０側に導かれ、光通過部６３を通過（透過）する。具体的には、ライトガイド５１からの光は、透光性の板材６１の裏面に設けられた拡散層６３ａにより拡散された後、板材６１を透過する。
【００３３】
光通過部６３を通過した光は、枠体２０の透光部２１に入射し、鏡面状の遮光部２２の内面２２０で反射されて、開口部２２ａへと効率良く導かれる。
具体的には、光源４１の光軸ＡＸに沿う光は、開口部２２ａが光軸ＡＸ上に位置していることにより、遮光部２２の内面２２０で反射せずに開口部２２ａから出射される。光軸ＡＸに対して斜めの光路を進む光は、遮光部２２のうち、特に、傾斜部２２ｃの内面２２０で鏡面反射して、光路を変えて、開口部２２ａから出射される。つまり、遮光部２２の傾斜部２２ｃは、光軸ＡＸに対して斜めの光路を進む光を効率的に、開口部２２ａへと導く角度で形成されている。
【００３４】
枠体２０の開口部２２ａから表側に出射された光は、透光性カバー９０を透過して、ユーザに視認される。これにより、計器装置１００の表側から見て、開口部２２ａによって円環状に透光部２１が露出した部分が発光して（リング状の発光像が）視認される。このようにして、計器装置１００は、計測表示部１０を取り囲む枠体２０を発光させることができる。
【００３５】
前述したように光源４１ｂが青色の光を発した場合には、枠体２０の開口部２２ａがリング状に青く発光する。光源４１ｇが緑色の光を発した場合には、枠体２０の開口部２２ａがリング状に緑に発光する。なお、所定の場合には、光源４１ｂと光源４１ｇとを共に発光させて、青色と緑色の混色で枠体２０を発光させてもよい。また、その他、白や赤の光を発する光源を設けても良い。
【００３６】
ここで、枠体２０の遮光部２２の外面２２１側に着目すると、傾斜部２２ｃが設けられていることから、太陽光などの外光が計器装置１００を照らしても、ユーザ側に（文字板６０の板材６１の略法線方向に）外光が反射しづらくなっている。さらに、前述のように遮光部２２の外面２２１上には、図示しない反射抑制膜が設けられているため、より効果的に外光反射を低減することができるようになっている。このようにしたから、計測表示部１０の視認性を極力低下させない。
【００３７】
また、図４に示すように、光通過部６３の幅ｄ２は、透光部２１の裏面２１ａの幅ｄ３よりも狭くなっている。このため、表裏方向において（図４における左右方向）、透光部２１の裏面２１ａと、文字板６０の遮光性印刷層６２とが重なる箇所ができる。これにより、枠体２０と文字板６０との間から、光源４１の光が漏れ出すことを極力抑制できる。さらには、開口部２２ａの幅ｄ１を光通過部６３の幅ｄ２よりも狭くすることで、発光しないときにおける枠体２０の見栄えの悪化を回避している。このように開口部２２ａの幅ｄ１を狭くしても、光源４１からの光は、傾斜部２２ｃの内面２２０で反射して、効率良く開口部２２ａに導かれることから、十分な明るさで枠体２０が発光することができる。また、開口部２２ａと光通過部６３とは、図４に示すように、光軸ＡＸ上に位置するため、光源４１からの光を、極力、輝度が低減することなく、開口部２２ａから出射させることができる。
【００３８】
ここからは、計器装置１００を構成する各部の変形例について説明する。
【００３９】
（枠体の変形例）
図６に示す変形例に係る枠体３２０は、前述の枠体２０とその形状のみ異なる。そのため、以下では、主に枠体３２０の形状について説明する。
【００４０】
枠体３２０は、図６に示すように、透光部３２１と遮光部３２２とから一体的に形成されている。遮光部３２２には、光源４１から透光部３２１に入射した光を表側に向けて出射させる出射口として機能する開口部３２２ａが設けられている。開口部３２２ａは、図６に示すように、透光部３２１の表側に形成された傾斜部３２１ｂ上に位置する。また、開口部３２２ａは、光軸ＡＸ上に位置する。
【００４１】
遮光部３２２は、図６に示すように、文字板６０の板材６１が延びる方向と略直交し、光軸ＡＸを挟んで互いに対向する第１壁部３２２ａと第２壁部３２２ｂを有する。第１壁部３２２ａは、第２壁部３２２ｂよりも、指針１（図１参照）の回転中心側に位置する。第１壁部３２２ａの高さ（表裏方向に沿う長さ）は、第２壁部３２２ｂの高さよりも小さい。また、遮光部３２２は、第１壁部３２２ａから開口部３２２ａに向かって形成される（透光部３２１の傾斜部３２１ｂ上に形成される）第１傾斜部３２２ｃと、第２壁部３２２ｂから開口部３２２ａに向かって形成される（透光部３２１の傾斜部３２１ｂ上に形成される）第２傾斜部３２２ｄと、を有する。
【００４２】
枠体３２０を以上のように形成することもできる。このようにしても、光通過部６３を通過して透光部３２１に入射した光は、透光部３２１の内部へ導かれるととともに、遮光部３２２の内面で鏡面反射されて、開口部３２２ａから出射される。また、遮光部３２２は、文字板６０に対して傾斜した第１傾斜部３２２ｃと第２傾斜部３２２ｄを有しているため、ユーザ側に（文字板６０の板材６１の略法線方向に）外光が反射しづらくなっている。
【００４３】
（板状部の変形例）
以上では、光通過部６３が形成される板状部が文字板６０である例を説明したが、これに限られない。
【００４４】
例えば、図７（ａ）に示すように、文字板６０と枠体２０との間に、見返し部材８０の一部が挟まれる構造であってもよい。この場合、見返し部材８０に、文字板６０の遮光性印刷層６２が形成されていない領域（光源４１と表裏方向において対向する領域）に対応した開口部８０ａを設けて光源４１からの光を枠体２０へと通過させればよい。つまり、この例では、板状部が文字板６０と見返し部材８０とから構成され、板状部に形成される光通過部２６３は、見返し部材８０の開口部８０ａと、文字板６０の遮光性印刷層６２の非形成領域とから構成されることになる。
【００４５】
また、例えば、図７（ｂ）に示すように、文字板６０が、計器装置１００の表裏方向において光源４１と重ならない位置に配設されていてもよい。この場合は、見返し部材８０が板状部として、見返し部材８０に形成された開口部８０ａが光通過部である例である。この場合、文字板６０に、光源４１からの光を拡散させるための拡散層６３ａを設けることができないが、代わりに、透光部２１の裏面２１ａにシボ加工などを施すことで、透光部２１に光源４１からの光を拡散させる拡散部を設ければよい。また、透光部２１の裏面２１ａ上に、拡散層６３ａと同様な印刷層（図示せず）を形成してもよい。
【００４６】
（拡散層の変形例）
以上では、文字板６０の板材６１の裏面に形成された拡散層６３ａについて、光源４１からの光を拡散させる機能を有すれば、特に限定を設けなかったが、光源４１からの光の強弱を考慮した図８に示す拡散層６３ｂであってもよい。
図８に示す拡散層６３ｂは、細かい粒状の遮光部分（ドット）を多数有するドットパターンの印刷層からなる。このドットパターンは、光源４１と対向する部分から（光源４１の光軸ＡＸ上に位置する部分から）離れていくに従って、ドットが密から疎になるようにグラデーション状に形成されている。光源４１から発せられる光のうち、光路が光軸ＡＸに沿う光よりも、光軸ＡＸから離れた光のほうが光の強さ（輝度など）が弱くなる。これを考慮して、拡散層６３ｂは、光軸ＡＸに近い部分ではドットが密であり、そこから離れるにつれてドットが除々に、疎に形成されて遮光機能が低くなっている。このような拡散層６３ｂにより、文字板６０を通過した後の光の強さを略均一にすることができる。
なお、拡散層６３ｂのドットパターンは、光源４１と対向する部分から、枠体２０の形状に沿って離れていくに従ってドットが密から疎になるように形成されていてもよいし、枠体２０の外周方向に沿って離れていくに従ってドットが密から疎になるように形成されていてもよい。また、拡散層６３ｂは、文字板６０の板材６１の表側の面に設けられていてもよいし、拡散層６３ｂと同様の機能を有する拡散部を透光部２１の裏面２１ａに形成してもよい。
【００４７】
以上に説明した計器装置１００は、計測量を表示する計測表示部１０と、計測表示部１０の表示側（表側）から見て計測表示部１０を取り囲む枠体２０（枠体３２０などでもよい）と、表示側に光を出射することで枠体２０を照らす光源４１と、枠体２０と光源４１との間に位置する板状部（文字板６０及び／又は見返し部材８０）であって、光源４１からの光の光路上に、光源４１からの光を枠体２０へと通過させる光通過部６３（光通過部２６３などでもよい）が設けられた板状部と、を備え、枠体２０は、光源４１から光通過部６３を通過した光が入射する透光部２１と、透光部２１を表示側から覆い、透光部２１と密着する部分が鏡面部（内面２２０）である遮光部２２と、から一体的に形成され、遮光部２２には、表示側から見て枠体２０の形状に沿って形成され、透光部２１の一部を覗かせる開口部２２ａが設けられ、光源４１から透光部２１に入射した光は、鏡面部で反射して開口部２２ａへと導かれ、開口部２２ａから出射される。
このように、枠体２０を透光部２１と遮光部２２とから一体的に形成したから、部品点数を極力減らすことができ、構成が簡潔である。また、部品点数が減れば、組み付けも容易で、なおかつコストを抑えることができる。
この場合において、遮光部２２は、めっき、スパッタリング、又は、蒸着処理によって透光部２１と一体的に形成されている、ようにしてもよい。また、遮光部２２は、シート状の部材であり、透光部２１と遮光部２２とは、インモールド成型によって一体的に形成されている、ようにしてもよい。
なお、計測表示部１０は、回転する指針１と指針１に指示される指標部２と対比により計測量を表示し、枠体２０は、表示側から見て扇状に形成される指標部２の外周側を取り囲むように形成されている。
【００４８】
また、光通過部６３と開口部２２ａとは、光源４１の光軸上ＡＸに位置する（図４参照）。このようにしたから、光源４１が発した光の反射などによるロスを極力抑えることができ、効率よく枠体２０を照らすことができる。
【００４９】
また、光通過部６３は、光源４１が出射した光を拡散して透光部２１に向けて出射させる拡散層６３ａを含む。このようにしたから、透光部２１を略均一に照明することができ、結果として発光する枠体２０の見栄えが良くなる。
【００５０】
また、光通過部６３は、複数の粒状の遮光部分からなるドットパターンを形成する印刷層（拡散層６３ｂ。図８参照）を含み、ドットパターンは、印刷層のうち光源４１の光軸ＡＸ上に位置する部分から、離れていくに従って、粒状の遮光部分が密から疎になるように形成されている。このようにしたから、印刷層を通過した後の光の強さを略均一にすることができ、結果として発光する枠体２０の見栄えが良くなる。
【００５１】
また、透光部２１のうち、光源４１からの光が入射する部分には拡散部が形成され（例えば、透光部２１の裏面２１ａに形成される）、光源４１から透光部２１に入射した光は、拡散部で拡散された後、鏡面部で反射して開口部２２ａへと導かれ、開口部２２ａから出射される。このようにしたから、遮光部２２の内面の鏡面部に向かう光を略均一にすることができ、さらに鏡面部で鏡面反射を繰り返した光が開口部２２ａから出射されるため、結果として発光する枠体２０の見栄えが良くなる。
【００５２】
光源４１は、表示側から見た枠体２０の形状に沿って複数設けられており（光源４１ｂ，４１ｇ。図３参照）、複数の光源４１の組合せによって、二以上の色調で枠体２０を照らす。このようにしたから、見栄えを斬新にすることができる。
【００５３】
なお、本発明は上記の実施形態、その変形例、及び図面によって限定されるものではない。これらに変更（構成要素の削除も含む）を加えることができるのはもちろんである。
【００５４】
例えば、枠体２０を照らす光源として白色光を出射する光源を採用してもよい。この場合、光通過部６３に青や緑などの有色透明の印刷層（拡散層６３ａ，６３ｂと一体でも別体でもよい）を設ければ、白色光源によっても、所望の色調で枠体２０を発光させることができる。
【００５５】
また、以上の例では、計測表示部１０が指針式の計器（アナログ式）として構成される例を示したが、これに限られない。枠体２０によって囲まれる計測表示部は、デジタル表示式の計器や、アナログ式とデジタル式との混合計器部分であってもよい。
【００５６】
以上の説明では、本発明の理解を容易にするために、重要でない公知の技術的事項の説明を適宜省略した。
【符号の説明】
【００５７】
１００  …計器装置
１  …指針
２  …指標部
３  …計測表示部以外の領域
１０  …計測表示部
２０，３２０  …枠体
２１，３２１  …透光部
２１ａ…裏面
２１ｂ…先端部
２２，３２２  …遮光部
２２ａ，３２２ａ…開口部
２２ｂ…壁部
２２ｃ…傾斜部
２２ｄ…頭頂部
２２０…内面
２２１…外面
３０  …メイン基板
４０  …サブ基板
４１  …光源
４１ｂ，４１ｇ…光源
ＡＸ  …光軸
５０  …中ケース
５１  …ライトガイド
６０  …文字板
６１  …板材
６２  …遮光性印刷層
６３，２６３  …光通過部
６３ａ，６３ｂ…拡散層
７０  …裏ケース
８０  …見返し部材
８０ａ…開口部
９０  …透光性カバー
【図１】
2015117999.tif 000003
【図２】
2015117999.tif 000004
【図３】
2015117999.tif 000005
【図４】
2015117999.tif 000006
【図５】
2015117999.tif 000007
【図６】
2015117999.tif 000008
【図７】
2015117999.tif 000009
【図８】
2015117999.tif 000010